(57)【特許請求の範囲】
【請求項１】
扉を貫通したレバー軸を扉表裏で支持する内座と外座と、
前記内座の内部に位置し前記レバー軸の外周に設けられるハ字状傾斜面と、
前記内座の内部で前記レバー軸に直交する方向にスライド自在となり、一方のスライド端位置で前記ハ字状傾斜面に係合して前記レバー軸の回転を阻止するハ字状規制壁の設けられるスライドカムと、
前記スライドカムの前記一方のスライド方向のスライド側端部に突設され前記外座から離反する方向に傾斜する傾斜舌片と、
前記外座に、前記レバー軸に沿う方向で摺動自在に支持され頭部が前記外座の表面から進退自在となるとともに、先端部が前記傾斜舌片を押圧可能とするアクセスピンと、
前記アクセスピンを前記押圧の方向に付勢するピン付勢バネと、
前記内座の外周に、前記レバー軸に沿う方向の揺動軸を中心に揺動自在に配置され片側の押下揺動にて前記スライドカムを押下して前記ハ字状規制壁を前記ハ字状傾斜面に係合させるとともに、前記傾斜舌片を介して前記アクセスピンを前記外座の表面から進出させる揺動スイッチと、
を具備することを特徴とするレバーハンドル錠。
【請求項２】
請求項１記載のレバーハンドル錠であって、
前記傾斜舌片に沿う方向で該傾斜舌片に間隙を有して前記スライドカムに固定され前記アクセスピンの先端部を押圧して該アクセスピンの前記頭部を前記外座の表面と同一面に配置させる板バネと、
を具備することを特徴とするレバーハンドル錠。
【発明の詳細な説明】
【技術分野】
【０００１】
本発明は、丸座に設けたスイッチを動作させ、ハンドルの回転動作を止めるレバーハンドル錠に関する。
【背景技術】
【０００２】
例えば一般住宅において、屋内におけるトイレや脱衣所等の簡易的な施錠の必要な扉には、ラッチ錠と共にロック手段を設けることがある。例えば特許文献１に開示されるレバーハンドル錠は、一対のレバーハンドルのうちの一方のレバーハンドルの基部端が、対応する座の内側面に支持させたレバーハンドル回動規制板の開口内に突出しており、ロックレバーに連動するカム操作によってこのレバーハンドル回動規制板が移動して、前記開口の一端内側に形成した突起が前記基部端の外周面の所望箇所に形成された段部内に突入することによってレバーハンドルの回動を係止して施錠が行われる構成にしてある。これにより、ロックレバーの操作によりレバーハンドルの回動を係止させて施錠を行うことができ、レバーハンドルの座がコンパクトで係止構造が丈夫で故障も少なく、製造コストも安価に抑えられている。
【先行技術文献】
【特許文献】
【０００３】
【特許文献１】特開平８−２３２５１３号公報
【発明の概要】
【発明が解決しようとする課題】
【０００４】
しかしながら、上記した従来のレバーハンドル錠は、施解錠操作を行うためのロックレバーが座の正面に配置されるため、レバーハンドルの操作時に、誤って手が接触して、作動することが危惧される。また、上記従来例のものでは、ロックレバーの形態であることから、操作に手指による摘み動作が必要となり、操作の容易性には不利があった。また、レバーハンドルと共に配置されるため、目視の角度によっては、レバーハンドルと重なって隠れ、見えにくい場合がある。
【０００５】
本発明は上記状況に鑑みてなされたもので、その目的は、誤動作や誤操作を減少させて、良好な操作を実現でき、スイッチの視認性が良いレバーハンドル錠を提供することにある。
【課題を解決するための手段】
【０００６】
次に、上記の課題を解決するための手段を、実施の形態に対応する図面を参照して説明する。
本発明の請求項１記載のレバーハンドル錠は、扉１１を貫通したレバー軸１３を扉表裏で支持する内座１５と外座１７と、
前記内座１５の内部１９に位置し前記レバー軸１３の外周に設けられるハ字状傾斜面２１と、
前記内座１５の内部１９で前記レバー軸１３に直交する方向にスライド自在となり、一方のスライド端位置で前記ハ字状傾斜面２１に係合して前記レバー軸１３の回転を阻止するハ字状規制壁２５の設けられるスライドカム２７と、
前記スライドカム２７の前記一方のスライド方向のスライド側端部２９に突設され前記外座１７から離反する方向に傾斜する傾斜舌片３１と、
前記外座１７に、前記レバー軸１３に沿う方向で摺動自在に支持され頭部３３が前記外座１７の表面３５から進退自在となるとともに、先端部３７が前記傾斜舌片３１を押圧可能とするアクセスピン３９と、
前記アクセスピン３９を前記押圧の方向に付勢するピン付勢バネ４１と、
前記内座１５の外周に、前記レバー軸１３に沿う方向の揺動軸４３を中心に揺動自在に配置され片側の押下揺動にて前記スライドカム２７を押下して前記ハ字状規制壁２５を前記ハ字状傾斜面２１に係合させるとともに、前記傾斜舌片３１を介して前記アクセスピン３９を前記外座１７の表面３５から進出させる揺動スイッチ４５と、
を具備することを特徴とする。
【０００７】
このレバーハンドル錠では、内座１５の外周に位置する揺動スイッチ４５が、施錠方向に揺動押下されると、内部１９のスライドカム２７が押し下げられ、スライドカム２７のハ字状規制壁２５がハ字状傾斜面２１に係合して、レバー軸１３の回動が阻止される。同時に、スライドカム２７の傾斜舌片３１がアクセスピン３９の先端部３７を押圧する。先端部３７の押圧されたアクセスピン３９は、ピン付勢バネ４１の付勢力に抗して摺動し、頭部３３が外座１７の表面３５から突出し、施錠状態であることを表示する。
一方、通常の解錠時には、揺動スイッチ４５が解錠方向に揺動押下されると、揺動スイッチ４５によりスライドカム２７が上昇し、ハ字状規制壁２５がハ字状傾斜面２１から離反して、レバー軸１３の規制を解除するとともに、傾斜舌片３１による先端部３７の押圧が解除されたアクセスピン３９は、頭部３３が外座１７の表面３５と面一となって解錠状態であることを表示する。
また、非常の解錠時には、表面３５から突出しているアクセスピン３９の頭部３３が押し込まれる。頭部３３が押し込まれたアクセスピン３９は、先端部３７が傾斜舌片３１を押圧し、スライドカム２７を上昇させる。これにより、スライドカム２７のハ字状規制壁２５がハ字状傾斜面２１から離反し、レバー軸１３の規制が解除されて、解錠状態となる。同時に、揺動スイッチ４５は、解錠側に揺動される。
内座１５の外周に配置された揺動スイッチ４５は、レバーハンドルの操作時に、誤って手が接触して、作動することがない。揺動スイッチ４５は、非押下側が内座１５の外周から突出するので、正面から見た場合のスイッチ状態の目視による把握が容易となる。
【０００８】
請求項２記載のレバーハンドル錠は、請求項１記載のレバーハンドル錠４７であって、
前記傾斜舌片３１に沿う方向で該傾斜舌片３１に間隙４９を有して前記スライドカム２７に固定され前記アクセスピン３９の先端部３７を押圧して該アクセスピン３９の前記頭部３３を前記外座１７の表面３５と同一面に配置させる板バネ５１と、
を具備することを特徴とする。
【０００９】
このレバーハンドル錠では、解錠時、傾斜舌片３１に間隙４９を有して配置される板バネ５１に、アクセスピン３９の先端部３７がピン付勢バネ４１の付勢力に抗して押圧され、アクセスピン３９は頭部３３が外座１７の表面３５と面一となる。
揺動スイッチ４５の施錠操作によりスライドカム２７が押下されると、スライドカム２７と一体となって板バネ５１が下降し、アクセスピン３９の先端部３７を押圧する結果、アクセスピン３９は頭部３３が表面３５から進出する。この際、間隙４９は縮小されるが、板バネ５１と傾斜舌片３１とはまだ離間状態にある。
一方、非常の解錠時には、表面３５から突出しているアクセスピン３９の頭部３３が押し込まれる。頭部３３が押し込まれたアクセスピン３９は、先端部３７が板バネ５１を押圧し、押圧された板バネ５１は傾斜舌片３１に密着した後、傾斜舌片３１を押圧する。すなわち、アクセスピン３９が直接スライドカム２７を押し上げることとなる。スライドカム２７が押し上げられ、解錠がなされた後は、再び板バネ５１が弾性復帰し、アクセスピン３９は先端部３７が傾斜舌片３１から間隙４９の距離だけ押し戻され、頭部３３が表面３５と面一となる。
【発明の効果】
【００１０】
本発明に係る請求項１記載のレバーハンドル錠によれば、座の表面に施解錠操作スイッチを配置せずに、座の外周に設けた揺動スイッチを動作させ、ハンドルの回転動作を止めることができるので、誤動作や誤操作を減少させて、良好で確実な操作を実現できる。また、座の外周に操作部が突出するので、正面からの視認性が良好となり、スイッチ状態をわかりやすくできる。
【００１１】
請求項２記載のレバーハンドル錠によれば、板バネの弾性力を利用して、頭部を突出させ、又は表面と面一にできるとともに、アクセスピンの押し込み時には板バネを傾斜舌片と平行に弾性変形させてスライドカムの押し上げを可能にしつつ、その押し込み後の復帰を実現できる。
【図面の簡単な説明】
【００１２】
【図１】本発明に係るレバーハンドル錠の内座側を（ａ）、外座側を（ｂ）に示した外観斜視図である。
【図２】図１に示したレバーハンドル錠の分解斜視図である。
【図３】（ａ）は内座の分解正面図、（ｂ）は図１に示したレバーハンドル錠の中央部における分解縦断面図である。
【図４】（ａ）左は施錠時のレバー軸の軸線を含む面による縦断面図及び右はその軸線に直交する面による内座の内部正面図、（ｂ）左は解錠操作開始時のレバー軸の軸線を含む面による縦断面図及び右はその軸線に直交する面による内座の内部正面図である。
【図５】（ａ）左は解錠途中のレバー軸の軸線を含む面による縦断面図及び右はその軸線に直交する面による内座の内部正面図、（ｂ）左は解錠時のレバー軸の軸線を含む面による縦断面図及び右はその軸線に直交する面による内座の内部正面図である。
【図６】（ａ）左は施錠時のレバー軸の軸線を含む面による縦断面図及び右はその軸線に直交する面による内座の内部正面図、（ｂ）左は非常解錠開始時のレバー軸の軸線を含む面による縦断面図及び右はその軸線に直交する面による内座の内部正面図である。
【図７】（ａ）左は非常解錠途中のレバー軸の軸線を含む面による縦断面図及び右はその軸線に直交する面による内座の内部正面図、（ｂ）左は非常解錠終了後のレバー軸の軸線を含む面による縦断面図及び右はその軸線に直交する面による内座の内部正面図である。
【発明を実施するための形態】
【００１３】
以下、本発明の実施の形態を図面を参照して説明する。
図１は本発明に係るレバーハンドル錠の内座側を（ａ）、外座側を（ｂ）に示した外観斜視図である。
扉１１の開閉先端部にはレバー軸１３が貫通し、レバー軸１３は扉表裏で円筒形状の内座１５と外座１７とで支持される。扉１１にはラッチボルト５３を進退させる錠箱５５が内設され、錠箱５５は貫通するレバー軸１３の回転操作力によってラッチボルト５３を後退可能としている。レバー軸１３の両端にはそれぞれにハンドルとしてのレバーハンドル５７が設けられるが、ハンドルはこの他、扁平球状の握り玉等であっても良い。そして、内座１５の外周上部には後述の揺動スイッチ４５が配設され、外座１７の表面３５には後述するアクセスピンの頭部３３が配置されている。
【００１４】
図２は図１に示したレバーハンドル錠の分解斜視図、図３（ａ）は内座の分解正面図、（ｂ）は図１に示したレバーハンドル錠の中央部における分解縦断面図である。
内座１５の内部１９において、レバー軸１３には、角穴５９を有した外嵌筒２３が相対回転不能に外挿される。外嵌筒２３は、角穴形成部６１と台座部６３との間の外周に、図３に示す両形部がハの字状に欠切されたハ字状傾斜面２１が形成される。
【００１５】
また、内座１５の内部１９には、レバー軸１３に直交する方向にスライド自在となる略Ｕ字枠状のスライドカム２７が収容されている。スライドカム２７は、一方のスライド端位置で、レバー軸１３のハ字状傾斜面２１に係合してレバー軸１３の回転を阻止する図３に示すストッパ部としてのハ字状規制壁２５を有している。また、スライドカム２７の対峙する上端部６５の一方には係合矩形穴６７が形成される。さらに、スライドカム２７の正面下部には一対のバネ固定部６９が形成されている。
【００１６】
スライドカム２７の一方のスライド方向のスライド側端部２９には傾斜舌片３１が突設される。傾斜舌片３１は、図３（ｂ）に示すように、外座１７から離反する方向に傾斜している。内座１５の内面には、この傾斜舌片３１を収容する凹み部７１が形成されている。
【００１７】
一方、外座１７には支持筒７３が突設され、支持筒７３はアクセスピン３９をレバー軸１３に沿う方向で摺動自在に支持している。アクセスピン３９は、頭部３３が外座１７の表面３５から進退自在となる。また、先端部３７が傾斜舌片３１を押圧可能としている。アクセスピン３９は、支持筒７３内に配設されたピン付勢バネ４１によって、傾斜舌片３１を押圧する方向に付勢されている。
【００１８】
なお、本実施の形態では、アクセスピン３９の先端部３７がスライドブッシュ７５を介して傾斜舌片３１を押圧する。スライドブッシュ７５は、内座１５に形成されたガイド溝７７によって摺動自在にガイドされる。スライドブッシュ７５は、先端部３７の当接する垂直面７９と、傾斜舌片３１を押圧する傾斜面８１とを備える。ピン付勢バネ４１は、このスライドブッシュ７５をスライド方向の所定位置に保持する。
【００１９】
また、スライドカム２７には図３に示す略Ｔ字形状の板バネ５１が上記したバネ固定部６９によって固定されている。板バネ５１は、傾斜舌片３１に沿う方向で、この傾斜舌片３１に間隙４９（図４参照）を有してスライドカム２７に固定される。板バネ５１は、アクセスピン３９の先端部３７を押圧して、アクセスピン３９の頭部３３を外座１７の表面３５と同一面（面一）とするよう付勢する。ここで、スライドブッシュ７５の傾斜面８１と、スライドカム２７の傾斜舌片３１とは、略同等の傾斜角度、例えばレバー軸１３に直交する垂直面から約５０°に形成されており、板バネ５１の傾斜角度は、これら傾斜面８１と傾斜舌片３１の傾斜角度よりも浅い角度である約３５°とされており、この角度差により上記した間隙４９が形成される。
【００２０】
内座１５の外周の上部にはスイッチ配置窓８３が形成される。このスイッチ配置窓８３にはレバー軸１３に沿う方向の揺動軸４３を中心に揺動自在となった揺動スイッチ４５が配置される。揺動スイッチ４５は、ピン８４を介して係合矩形穴６７に連結される。揺動スイッチ４５は、片側の押下揺動にて、スライドカム２７を押下してハ字状規制壁２５をハ字状傾斜面２１に係合させる。これと同時に、傾斜舌片３１及びスライドブッシュ７５を介してアクセスピン３９の頭部３３を外座１７の表面３５から進出させる。
【００２１】
揺動スイッチ４５には揺動軸４３に貫通されて一体に揺動する略山形のクリックバネ８５が設けられる。クリックバネ８５の下面には突起８７が垂設され、突起８７は内座１５に設けられたクリック用凸部８９に係合する。すなわち、クリックバネ８５は、弾性変形により突起８７をクリック用凸部８９の左右いずれかに乗り越えさせることにより、左右いずれかに揺動を付勢する。クリックバネ８５は、揺動軸４３に外挿されるスペーサ９１によって揺動スイッチ４５から離間しないようになされている。
【００２２】
内座１５は、内部１９がおさえ板９３によって覆われる。おさえ板９３には、内座１５にネジ等にて固定するための固定穴９５，レバー軸１３の貫通穴９７，板バネ５１の表出窓９９，アクセスピン３９の挿通孔１０１，固定用スタッド１０３の挿通孔１０５等が形成される。
【００２３】
レバーハンドル錠４７は、上記各部材を内設した内座１５がおさえ板９３にて覆われて扉１１の一方の面側に配置されるとともに、扉１１の他方の面側には外座１７が配置される。扉１１を挟んで配置された内座１５と外座１７は、外座１７に突設された固定用スタッド１０３を内座１５の固定柱１０９に内座１５から貫通するネジにて螺着固定することで、扉１１を挟持した状態で固定される。なお、図３中、１１１はがたつき防止用のカラーを表す。
【００２４】
レバーハンドル錠４７は、内座１５側と、外座１７側とが別体ユニットであり、レバー軸１３が貫通することで、それぞれが連結されている。アクセスピン３９は、スライドブッシュ７５を押圧する構造であり、分離構造となっている。これにより、内座１５からは、揺動スイッチ４５の揺動でスライドカム２７をスライドさせ、レバー軸１３の回転規制及びその解除を行い、外座１７からは、アクセスピン３９の頭部３３の押し込みによって、スライドブッシュ７５を介してスライドカム２７をスライドさせ、レバー軸１３の回転規制の解除を行う。
【００２５】
このように、レバーハンドル錠４７は、分離構造となることで、扉１１の厚さが変わった場合に、アクセスピン３９の長さ変更のみで対応が可能となっている。なお、レバー軸１３は、レバーハンドル５７との連結位置を変えることで扉１１の厚さに対応可能となっている。
【００２６】
次に、上記構成を有するレバーハンドル錠４７の作用を説明する。
図４（ａ）左は施錠時のレバー軸の軸線を含む面による縦断面図及び右はその軸線に直交する面による内座の内部正面図、（ｂ）左は解錠操作開始時のレバー軸の軸線を含む面による縦断面図及び右はその軸線に直交する面による内座の内部正面図である。
図４（ａ）に示すように、内座１５の外周に位置する揺動スイッチ４５が、施錠方向に揺動押下状態とされると、内部１９のスライドカム２７が押し下げられた位置となり、スライドカム２７のハ字状規制壁２５が外嵌筒２３のハ字状傾斜面２１に係合して、レバー軸１３の回動が阻止される。同時に、スライドカム２７の傾斜舌片３１がアクセスピン３９の先端部３７をスライドブッシュ７５を介して押圧する。先端部３７の押圧されたアクセスピン３９は、ピン付勢バネ４１の付勢力に抗して摺動し、頭部３３が外座１７の表面３５から突出し、施錠状態であることを表示する。スライドブッシュ７５は、おさえ板９３に当接位置となる。
【００２７】
この際、揺動スイッチ４５の施錠操作によりスライドカム２７が押下されると、スライドカム２７と一体となって板バネ５１が下降し、アクセスピン３９の先端部３７を押圧する結果、アクセスピン３９は頭部３３が表面３５から進出する。これにより、間隙４９は縮小されるが、板バネ５１と傾斜舌片３１とはまだ離間状態にある。
【００２８】
図５（ａ）左は解錠途中のレバー軸の軸線を含む面による縦断面図及び右はその軸線に直交する面による内座の内部正面図、（ｂ）左は解錠時のレバー軸の軸線を含む面による縦断面図及び右はその軸線に直交する面による内座の内部正面図である。
一方、通常の解錠時には、図４（ｂ）に示すように、揺動スイッチ４５が解錠方向に揺動押下されると、図５（ａ）に示すように、揺動スイッチ４５によりスライドカム２７が上昇する。スライドブッシュ７５は、おさえ板９３から１ｍｍ程度離間する。最終的に、図５（ｂ）に示すように、ハ字状規制壁２５がハ字状傾斜面２１から離反して、レバー軸１３の規制を解除する。アクセスピン３９は、ピン付勢バネ４１の付勢力によって後退する。同時に、傾斜舌片３１による先端部３７の押圧が解除されたアクセスピン３９は、頭部３３が外座１７の表面３５と面一となって解錠状態であることを表示する。スライドブッシュ７５は、おさえ板９３から２ｍｍ程度離間する。
【００２９】
このように、解錠時には、板バネ５１に、アクセスピン３９がピン付勢バネ４１の付勢力にて押圧され、アクセスピン３９は頭部３３が外座１７の表面３５と面一となる。
【００３０】
図６（ａ）左は施錠時のレバー軸の軸線を含む面による縦断面図及び右はその軸線に直交する面による内座の内部正面図、（ｂ）左は非常解錠開始時のレバー軸の軸線を含む面による縦断面図及び右はその軸線に直交する面による内座の内部正面図である。
一方、非常の解錠時には、図６（ａ）に示す施錠状態において、図６（ｂ）に示すように、外座１７の表面３５から突出しているアクセスピン３９の頭部３３が押圧される。頭部３３を押されたアクセスピン３９は、先端部３７が板バネ５１を押圧し、押圧された板バネ５１は傾斜舌片３１に密着した後、傾斜舌片３１を押圧する。すなわち、アクセスピン３９が直接スライドカム２７を押し上げ始めることとなる。この押圧状態では、アクセスピン３９の頭部３３が外座１７の表面３５と面一状態である。この状態で、クリックバネ８５の突起８７は、クリック用凸部８９をまだ乗り越えていない。すなわち、頭部３３を押圧し、表面３５と面一な状態までの操作であれば、揺動スイッチ４５は上記施錠状態に復帰することとなる。
【００３１】
図７（ａ）左は非常解錠途中のレバー軸の軸線を含む面による縦断面図及び右はその軸線に直交する面による内座の内部正面図、（ｂ）左は非常解錠終了後のレバー軸の軸線を含む面による縦断面図及び右はその軸線に直交する面による内座の内部正面図である。
アクセスピン３９の頭部３３が、外座１７の表面３５よりもさらに押し込まれると、図７（ａ）に示すように、アクセスピン３９の先端部３７が傾斜舌片３１を押圧し、スライドカム２７を上昇させる。このとき、スライドブッシュ７５は、おさえ板９３から３ｍｍ程度離間する。
【００３２】
これにより、図７（ｂ）に示すように、スライドカム２７のハ字状規制壁２５がハ字状傾斜面２１から離反し、レバー軸１３の規制が解除されて、解錠状態となる。同時に、揺動スイッチ４５は、クリックバネ８５の突起８７がクリック用凸部８９を乗り越えて、解錠側に揺動保持される。内座１５の外周に配置された揺動スイッチ４５は、レバーハンドル５７側に突出していないので、レバーハンドル５７の操作時に、誤って手が接触して、作動することがない。また、揺動スイッチ４５は、非押下側の略半部が内座１５の外周から突出するので、正面から見た場合のスイッチ状態の目視による把握が容易となる。
【００３３】
スライドカム２７が押し上げられ、解錠がなされた後は、再び板バネ５１が弾性復帰し、押し込み操作を終えたアクセスピン３９は先端部３７がスライドブッシュ７５を介して傾斜舌片３１から間隙４９の距離だけ押し戻され、頭部３３が表面３５と面一となる位置に配置される。
【００３４】
したがって、本実施の形態に係るレバーハンドル錠４７によれば、座の表面に施解錠操作スイッチを突出するように配置せずに、内座の外周に揺動スイッチが配置され、この外周に設けた揺動スイッチ４５を動作させ、ハンドルの回転動作を止めることができるので、誤操作や誤動作を減少させて、良好で確実な操作を実現できる。また、座の外周に操作部が突出するので、正面からの視認性が良好となり、スイッチ状態、すなわち施解錠の状態をわかりやすくできる。
【００３５】
また、本実施の形態によるレバーハンドル錠４７では、スライドブッシュ７５を備えることで、板バネ５１の弾性力を利用して、アクセスピン３９の頭部３３を突出させ、又は表面３５と面一にできる。また、アクセスピン３９の押し込み時には板バネ５１を傾斜舌片３１と平行に弾性変形させて、スライドカム２７の押し上げを可能にしつつ、その押し込み後の復帰を実現させている。
【符号の説明】
【００３６】
１１…扉
１３…レバー軸
１５…内座
１７…外座
１９…内部
２１…ハ字状傾斜面
２５…ハ字状規制壁
２７…スライドカム
２９…スライド側端部
３１…傾斜舌片
３３…頭部
３５…表面
３７…先端部
３９…アクセスピン
４１…ピン付勢バネ
４３…揺動軸
４５…揺動スイッチ
４７…レバーハンドル錠
４９…間隙
５１…板バネ
【図１】
0005524732.tif 000002
【図２】
0005524732.tif 000003
【図３】
0005524732.tif 000004
【図４】
0005524732.tif 000005
【図５】
0005524732.tif 000006
【図６】
0005524732.tif 000007
【図７】
0005524732.tif 000008